【手続補正書】
【提出日】平成27年2月10日(2015.2.10)
【手続補正１】
【補正対象書類名】特許請求の範囲
【補正対象項目名】全文
【補正方法】変更
【補正の内容】
【特許請求の範囲】
【請求項１】
外部からの電力及び自家電力供給設備からの電力を複数の電気機器に供給する電力制御装置であって、
外部からの電力供給の停止を検知し、電力供給停止時間を計測する電力停止検知装置、
自家電力供給設備から電気機器への電力供給に関する電力供給情報を記憶する記憶装置、及び、
電力停止検知装置によって計測された電力供給停止時間が所定の時間を超えた場合、記憶装置に記憶された電力供給情報に基づき、自家電力供給設備から電気機器への電力供給を制御する電力供給制御装置、
を備えている電力制御装置。
【請求項２】
電力停止検知装置による外部からの電力供給の停止の検知に基づき、外部からの電力供給から自家電力供給設備からの電力供給への切替えが行われる請求項１に記載の電力制御装置。
【請求項３】
電力供給情報には、電力停止検知装置による外部からの電力供給の停止の検知時、自家電力供給設備からの電力供給を行わない電気機器の情報が含まれており、
電力供給制御装置は、電力停止検知装置による外部からの電力供給の停止の検知時、電力供給情報に基づき、電気機器への電力供給を制御する請求項１又は請求項２に記載の電力制御装置。
【請求項４】
自家電力供給設備から供給が可能な供給可能電力量を測定する供給可能電力量測定装置を更に備えており、
電力供給情報には、電力停止検知装置による外部からの電力供給の停止の検知時、自家電力供給設備からの電力供給を行わない電気機器の順位に関する情報が含まれており、
電力供給制御装置は、電力停止検知装置による外部からの電力供給の停止の検知時、電力供給情報、及び、供給可能電力量測定装置によって測定された供給可能電力量に基づき、電気機器への電力供給を制御する請求項１乃至請求項３のいずれか１項に記載の電力制御装置。
【請求項５】
自家電力供給設備から供給が可能な供給可能電力量を測定する供給可能電力量測定装置を更に備えており、
電力供給情報には、電力停止検知装置による外部からの電力供給の停止の検知時、自家電力供給設備からの電力供給を減少させるべき電気機器の順位に関する情報が含まれており、
電力供給制御装置は、電力停止検知装置による外部からの電力供給の停止の検知時、電力供給情報、及び、供給可能電力量測定装置によって測定された供給可能電力量に基づき、電気機器への電力供給を制御する請求項１乃至請求項４のいずれか１項に記載の電力制御装置。
【請求項６】
電気機器への電力供給の制御形態は、電気機器における電力使用量の制限、又は、電気機器の節電モードへの移行、電気機器の省エネルギーモードへの移行、電気機器のスタンバイモードへの移行、電気機器のアイドリングモードへの移行、電気機器の待ち受けモードへの移行、電気機器の低動作モードへの移行及び電気機器のスリープモードへの移行から成る群から選択された１種類のモードから構成されている請求項５に記載の電力制御装置。
【請求項７】
電力供給情報には、電力停止検知装置によって計測された電力供給停止時間が所定の時間を超えた場合であっても、自家電力供給設備からの電力供給を継続すべき電気機器の情報が含まれている請求項１乃至請求項６のいずれか１項に記載の電力制御装置。
【請求項８】
電力供給情報には、電力停止検知装置によって計測された電力供給停止時間が所定の時間を超えた場合、自家電力供給設備からの電力供給を停止すべき電気機器に関する情報が含まれており、
電力供給停止時間が所定の時間を超えた場合、電力供給制御装置は、電力供給情報に基づき、電気機器への電力供給を停止する請求項１乃至請求項７のいずれか１項に記載の電力制御装置。
【請求項９】
電力供給情報には、電力停止検知装置によって計測された電力供給停止時間が所定の時間を超えた場合、自家電力供給設備からの電力供給を停止すべき電気機器の順位に関する情報が含まれており、
電力供給停止時間が所定の時間を超えた場合、電力供給制御装置は、電力供給情報に基づき、電気機器への電力供給を、順次、停止する請求項１乃至請求項７のいずれか１項に記載の電力制御装置。
【請求項１０】
電力供給情報には、電力停止検知装置によって計測された電力供給停止時間が所定の時間を超えた場合、自家電力供給設備からの供給電力量を減少させるべき電気機器の情報が含まれており、
電力供給停止時間が所定の時間を超えた場合、電力供給制御装置は、電力供給情報に基づき、電気機器への供給電力を減少させる請求項１乃至請求項９のいずれか１項に記載の電力制御装置。
【請求項１１】
使用電力を減少させる形態は、電気機器における電力使用量の制限、又は、電気機器の節電モードへの移行、電気機器の省エネルギーモードへの移行、電気機器のスタンバイモードへの移行、電気機器のアイドリングモードへの移行、電気機器の待ち受けモードへの移行、電気機器の低動作モードへの移行及び電気機器のスリープモードへの移行から成る群から選択された１種類のモードから構成されている請求項１０に記載の電力制御装置。
【請求項１２】
電力供給制御装置は、所定の時間を、複数、記憶している請求項１乃至請求項１１のいずれか１項に記載の電力制御装置。
【請求項１３】
電力供給制御装置は、季節に応じた所定の時間、及び／又は、時間帯に応じた所定の時間を、複数、記憶している請求項１２に記載の電力制御装置。
【請求項１４】
自家電力供給設備は蓄電池から成る請求項１乃至請求項１３のいずれか１項に記載の電力制御装置。
【請求項１５】
自家電力供給設備は、太陽光発電装置、太陽熱発電装置、太陽光発電装置及び太陽熱発電装置、燃料電池、又は、風力発電装置から成る請求項１乃至請求項１３のいずれか１項に記載の電力制御装置。
【請求項１６】
第１の外部からの電力及び第２の外部からの電力を複数の電気機器に供給する電力制御装置であって、
第１の外部からの電力供給の停止を検知し、電力供給停止時間を計測する電力停止検知装置、
第２の外部から電気機器への電力供給に関する電力供給情報を記憶する記憶装置、及び、
電力停止検知装置によって計測された電力供給停止時間が所定の時間を超えた場合、記憶装置に記憶された電力供給情報に基づき、第２の外部から電気機器への電力供給を制御する電力供給制御装置、
を備えている電力制御装置。
【請求項１７】
外部からの電力及び自家電力供給設備からの電力の複数の電気機器への供給を制御する電力供給制御方法であって、
外部からの電力供給の停止を検知した後、電力供給停止時間を計測し、
電力供給停止時間が所定の時間を超えた場合、自家電力供給設備から電気機器への電力供給に関する電力供給情報に基づき、自家電力供給設備から電気機器への電力供給を制御する電力供給制御方法。
【請求項１８】
第１の外部からの電力及び第２の外部からの電力の複数の電気機器への供給を制御する電力供給制御方法であって、
第１の外部からの電力供給の停止を検知した後、電力供給停止時間を計測し、
電力停止検知装置によって計測された電力供給停止時間が所定の時間を超えた場合、第２の外部から電気機器への電力供給に関する電力供給情報に基づき、第２の外部から電気機器への電力供給を制御する電力供給制御方法。
【請求項１９】
外部からの電力及び自家電力供給設備からの電力の複数の電気機器への供給を制御する電力供給制御プログラムであって、
外部からの電力供給の停止を検知した後、電力供給停止時間を計測し、
電力供給停止時間が所定の時間を超えた場合、自家電力供給設備から電気機器への電力供給に関する電力供給情報に基づき、自家電力供給設備から電気機器への電力供給を制御する電力供給制御プログラム。
【請求項２０】
第１の外部からの電力及び第２の外部からの電力の複数の電気機器への供給を制御する電力供給制御プログラムであって、
第１の外部からの電力供給の停止を検知した後、電力供給停止時間を計測し、
電力停止検知装置によって計測された電力供給停止時間が所定の時間を超えた場合、第２の外部から電気機器への電力供給に関する電力供給情報に基づき、第２の外部から電気機器への電力供給を制御する電力供給制御プログラム。